(57)【要約】【課題】  施工性の向上やメンテナンス性の向上を図ると共に、部品点数の削減および構造の簡素化を図った水中撹拌装置を提供する。【解決手段】  水中撹拌装置１は、処理槽２上面の開口部３ａより垂下状に設置された縦支持杆５と、縦支持杆５に支持されたドラフトチューブ６と、昇降操作自在に支持され、該昇降操作によりドラフトチューブ６内に嵌脱自在に嵌装される水中ミキサ１０とを備える。縦支持杆５に沿って上下方向に昇降操作自在に案内される昇降ガイド９が設けられ、該昇降ガイド９に水中ミキサ１０が取り付け固定され、昇降ガイド９の下降によるドラフトチューブ６上端部との当接により水中ミキサ１０がドラフトチューブ６内に嵌装される。【選択図】    図１
2006239605.tif 000002
【特許請求の範囲】
【請求項１】
処理槽上面の開口部より垂下状に設置された縦支持杆と、
前記縦支持杆に支持されたドラフトチューブと、
昇降操作自在に支持され、該昇降操作により前記ドラフトチューブ内に嵌脱自在に嵌装される水中撹拌機とを備えてなることを特徴とする水中撹拌装置。
【請求項２】
請求項１に記載の水中撹拌装置において、
前記縦支持杆に沿って上下方向に昇降操作自在に案内される昇降ガイドが設けられ、該昇降ガイドに前記水中撹拌機が取り付け固定され、昇降ガイドの下降による前記ドラフトチューブ上端部との当接により水中撹拌機がドラフトチューブ内に嵌装されることを特徴とする水中撹拌装置。
【請求項３】
請求項２に記載の水中撹拌装置において、
前記ドラフトチューブが前記縦支持杆に昇降操作自在に支持されていることを特徴とする水中撹拌装置。
【発明の詳細な説明】
【技術分野】
【０００１】
本発明は、下水や産業排水等の水処理において水中の撹拌を行うための水中撹拌装置に関するものである。
【背景技術】
【０００２】
従来、水中攪拌装置におけるドラフトチューブは、処理槽の底部に設置する構造が一般的である（例えば、特許文献１参照）。
【０００３】
また、処理槽の上部において、ドラフトチューブの上端部に水中撹拌機を固定状に設置する構造の水中撹拌装置や（例えば、特許文献２参照）、処理槽の上部からドラフトチューブを吊り下げ状に設置し、ドラフトチューブの上端部に水中撹拌機を昇降操作自在に設置する構造の水中撹拌装置もある（例えば、特許文献３参照）。
【０００４】
【特許文献１】特開２００４−２９０８５４号公報
【特許文献２】特開平１１−３４２４００号公報
【特許文献３】特開２００４−３２１９５６号公報
【発明の開示】
【発明が解決しようとする課題】
【０００５】
しかしながら、特許文献１に記載の装置のように、ドラフトチューブを処理槽の底部側に設置する構造の場合、施工時に槽内の水を抜く必要があり、施工が容易に行えず、施工性に劣るという難点があった。
【０００６】
また、特許文献２に記載の装置のように、水中撹拌機をドラフトチューブの上端部に固定状に設置する構造の場合、水中撹拌機を容易に引き揚げられないため、メンテナンス性が悪くなるという欠点があった。
【０００７】
これに対し、特許文献３に記載の装置のように、ドラフトチューブを槽上部から吊り下げ状に設置する構造とすれば、槽内の水を抜く必要がなく、施工性に優れる利点があり、また、ドラフトチューブの上端部に対して水中撹拌機を昇降操作自在に設置する構造とすれば、水中撹拌機を容易に引き揚げることができ、メンテナンス性にも優れる利点がある。
【０００８】
しかしながら、ドラフトチューブの上端部に、水中撹拌機の外周を囲繞して覆うための撹拌機収容筒を接続させる構造であり、部品点数の増大と構造の複雑化を招くという欠点がある。
【０００９】
そこで、本発明は上記点に鑑み、施工性の向上やメンテナンス性の向上を図ると共に、部品点数の削減および構造の簡素化を図った水中撹拌装置を提供することを目的とする。
【課題を解決するための手段】
【００１０】
上記課題を解決するための技術的手段は、処理槽上面の開口部より垂下状に設置された縦支持杆と、前記縦支持杆に支持されたドラフトチューブと、昇降操作自在に支持され、該昇降操作により前記ドラフトチューブ内に嵌脱自在に嵌装される水中撹拌機とを備えてなる点にある。
【００１１】
また、前記縦支持杆に沿って上下方向に昇降操作自在に案内される昇降ガイドが設けられ、該昇降ガイドに前記水中撹拌機が取り付け固定され、昇降ガイドの下降による前記ドラフトチューブ上端部との当接により水中撹拌機がドラフトチューブ内に嵌装される構造としてもよい。
【００１２】
さらに、前記ドラフトチューブが前記縦支持杆に昇降操作自在に支持されている構造としてもよい。
【発明の効果】
【００１３】
請求項１に記載の水中撹拌装置によれば、処理槽上面の開口部より垂下状に設置された縦支持杆と、縦支持杆に支持されたドラフトチューブと、昇降操作自在に支持され、該昇降操作によりドラフトチューブ内に嵌脱自在に嵌装される水中撹拌機とを備えてなる構造であり、ドラフトチューブを槽上部から吊り下げ状に設置するため、槽内の水を抜く必要がなく、施工性に優れ、また、水中撹拌機のメンテナンス時にはドラフトチューブ内より水中撹拌機を引き揚げればよく、メンテナンス性に優れる利点がある。
【００１４】
しかも、縦支持杆に支持されたドラフトチューブ内に直接、水中撹拌機を嵌脱自在に嵌挿させる構造であり、前記従来構造のような撹拌機収容筒も不要で、ドラフトチューブと撹拌機収容筒との接続構造も不要となり、部品点数の削減や構造の簡素化も図れるという利点がある。
【００１５】
また、請求項２に記載の水中撹拌装置によれば、縦支持杆に沿って上下方向に昇降操作自在に案内される昇降ガイドが設けられ、該昇降ガイドに水中撹拌機が取り付け固定され、昇降ガイドの下降によるドラフトチューブ上端部との当接により水中撹拌機がドラフトチューブ内に嵌装される構造とされているため、水中撹拌機が取り付けられた昇降ガイドを縦支持杆に沿って下降させていけば、昇降ガイドとドラフトチューブ上端部との当接により、自動的にドラフトチューブ内に水中撹拌機が嵌装されて位置決めされるため、この点からも施工性に優れる利点がある。
【００１６】
さらに、請求項３に記載の水中撹拌装置によれば、ドラフトチューブが縦支持杆に昇降操作自在に支持されているため、ドラフトチューブの高さ調整が容易に行え、ドラフトチューブ上端の高さ位置を処理槽の水面高さに応じて水中の撹拌効率のよい最適な水深に調整でき、効率よく水中の撹拌が行えるという利点がある。
【発明を実施するための最良の形態】
【００１７】
以下、本発明の第１の実施形態を図面に基づいて説明すると、図１ないし図４に示されるように、水中撹拌装置１は、下水等における処理槽２の上部を覆うフロア３に備えられた開口部３ａより吊り下げ状に設置された構造とされている。
【００１８】
即ち、フロア３における開口部３ａの互いに対向する面には、それぞれ取付ブラケット４を介して、適宜径、適宜長さを有するパイプ材等からなる１対の縦支持杆５が上下方向の軸心を有して垂下状に取り付けられている。ここに、両縦支持杆５は、上下方向に軸心を有して互いに平行に配置された構造とされている。
【００１９】
また、両縦支持杆５の下端部間には、適宜径、適宜長さを有するステンレスパイプ材等からなるドラフトチューブ６が、上下方向の軸心を有した状態で支持ブラケット７を介して取り付け固定されている。
【００２０】
さらに、ドラフトチューブ６の上方側に位置した両縦支持杆５間にわたって昇降ガイド９が備えられており、該昇降ガイド９は細長平板状に構成され、その両端部には、前記取付ブラケット４を上下方向に通過可能で、縦支持杆５によって上下方向に挿通状に案内されるガイド孔９ａがそれぞれ形成されている。
【００２１】
そして、昇降ガイド９の各ガイド孔９ａに各縦支持杆５をそれぞれ嵌挿させることにより、昇降ガイド９は両縦支持杆５に沿って上下方向に昇降操作自在に案内される構造とされている。
【００２２】
また、昇降ガイド９の長さ方向中央部下面側には、水中撹拌機としての水中ミキサ１０が適宜ブラケット等を介してボルト締結等により吊り下げ状に取り付け固定されており、昇降ガイド９の両縦支持杆５に沿った下降操作によって、図１に示されるように、ドラフトチューブ６の上端部内に水中ミキサ１０が嵌脱自在に嵌装される構造とされている。
【００２３】
前記水中ミキサ１０はその回転軸の軸心を上下方向として配置され、回転軸の下部に備えられたプロペラ部（図示省略）外周を囲繞するガイドリング１１は、上端部側に向けて漸次径大となるいわゆるラッパ状に構成され、このガイドリング１１上端部の外径が、ドラフトチューブ６の内径より僅かに小径に構成されている。
【００２４】
そして、水中ミキサ１０の回転駆動により、ドラフトチューブ６の上部より汚水等の処理水を吸込んで、下部より排出することにより、撹拌する構造とされている。
【００２５】
また、昇降ガイド９の上面側中央部には、吊り下げ索条体としての適宜長さを有する吊り下げチェーン１３の一端が連結されており、吊り下げチェーン１３の他方側はその適宜位置で、前記取付ブラケット４の側部位置に設けられたフック部４ａに係脱自在に係止される構造とされている。
【００２６】
そして、この吊り下げチェーン１３の引き揚げ、引き下ろし操作により、昇降ガイド９を介して水中ミキサ１０を昇降操作可能な構造とされている。
【００２７】
本実施形態は以上のように構成されており、ドラフトチューブ６をフロア３の開口部３ａ側から吊り下げ状に設置する構造であるため、設置に際して処理槽２内の水を抜く必要がなく、施工性に優れる。
【００２８】
また、水中ミキサ１０が取り付けられた昇降ガイド９を両縦支持杆５による案内下、漸次下降させていけば、ドラフトチューブ６内に水中ミキサ１０が漸次案内されていき、昇降ガイド９の下面がドラフトチューブ６の上面に当接した状態で、図１に示されるように、ドラフトチューブ６内に水中ミキサ１０が嵌装されて位置決めされた状態が自動的に得られるため、この点からも施工性に優れる利点がある。
【００２９】
そして、この水中ミキサ１０の下降によるドラフトチューブ６内への嵌装に際して、下端部に配置されるガイドリング１１が上方向に向けて漸次径大となるラッパ状に構成されているため、ドラフトチューブ６内により円滑に案内される利点がある。
【００３０】
さらに、縦支持杆５に支持されたドラフトチューブ６内に直接、水中ミキサ１０を嵌脱自在に嵌挿させる構造であり、前記従来構造のような撹拌機収容筒も不要で、ドラフトチューブと撹拌機収容筒との接続構造も不要となり、部品点数の削減や構造の簡素化も図れる利点がある。
【００３１】
また、水中ミキサ１０のメンテナンス時においては、吊り下げチェーン１３を利用して昇降ガイド９と共に水中ミキサ１０を引き揚げれば、処理槽２内より容易に水中ミキサ１０を取り出すことができ、水中ミキサ１０に対する所定のメンテナンス作業が容易に行え、メンテナンス性に優れる利点もある。
【００３２】
図５ないし図８は第２の実施形態を示しており、前記第１の実施形態と同様構成部分は同一符号を付し、その説明を省略する。
【００３３】
即ち、本実施形態においては、前記ドラフトチューブ６が両縦支持杆５に対して昇降操作自在に支持された構造とされている。例えば、ドラフトチューブ６の上端部外周面に、径方向に離隔して、さらに上下方向に離隔してそれぞれスライドガイド１５が溶接等により取り付け固定されており、各スライドガイド１５には、平面視で昇降ガイド９の両端部に形成されたガイド孔９ａと同様構造のガイド孔１５ａがそれぞれ形成された構造とされている。
【００３４】
そして、各スライドガイド１５の各ガイド孔１５ａに各縦支持杆５をそれぞれ嵌挿させることにより、ドラフトチューブ６は両縦支持杆５に沿って上下方向に昇降操作自在に案内される構造とされている。
【００３５】
また、上部両側の各スライドガイド１５もしくはドラフトチューブ６上端部の外周面両側には、吊り下げ索条体としての適宜長さを有する吊り下げチェーン１６の一端がそれぞれ連結されており、各吊り下げチェーン１６の他方の適宜位置で、前記取付ブラケット４の側部位置に設けられたフック部４ａに係脱自在に係止させることにより、ドラフトチューブ６を所望の高さ位置で吊り下げ状に支持する構造とされている。
【００３６】
さらに、両縦支持杆５の下端部には、互いに内向きに突出するストッパ１７がそれぞれ装着されており、図８に示されるように、ドラフトチューブ６の下降操作時に各スライドガイド１５が接離自在に当接して、ドラフトチューブ６の所定量以上の下降を規制する構造とされている。
【００３７】
本実施形態は以上のように構成されており、第１の実施形態と同様の効果を奏すると共に、ドラフトチューブ６も縦支持杆５に対して昇降操作自在に支持された構造であるため、各フック部４ａに対する各吊り下げチェーン１６の係止位置を変更することによって、ドラフトチューブ６の高さ調整が容易に行え、従って、ドラフトチューブ６上端の高さ位置を処理槽２の水面２ａ高さに応じて水中の撹拌効率のよい最適な水深ｈに容易に調整でき、効率よく処理槽２内における水中の撹拌が行えるという利点がある。
【００３８】
なお、上記実施形態において、水中撹拌機として水中ミキサ１０を用いた構造を示しているが、その他の水中撹拌機であってもよく、何ら限定されない。
【００３９】
また、縦支持杆５の数が２本の構造を示しているが、３本以上等であってもよく、実施形態の本数に何ら限定されない。
【００４０】
さらに、水中ミキサ１０やドラフトチューブ６を昇降操作するための吊り下げチェーン１３、１６を備えた構造を示しているが、ロープやその他の昇降手段を備える構造であってもよく、何ら限定されない。
【００４１】
また、水中ミキサ１０全体をドラフトチューブ６内に嵌装する構造を示しているが、下降操作によって少なくともプロペラ部、即ちガイドリング１１対応部分がドラフトチューブ６内に収まるような構造であってもよい。
【００４２】
さらに、ドラフトチューブ６の上部から吸込み、下部から排出する水流による撹拌構造を示しているが、その逆の流れによる撹拌構造であってもよい。
【００４３】
また、上記実施形態における処理槽２は、下水や産業排水等の人工槽に限らず、河川や湖沼等の天然槽であってもよい。
【図面の簡単な説明】
【００４４】
【図１】本発明の第１の実施形態に係る水中撹拌装置の概略説明図である。
【図２】同装置における水中ミキサの操作説明図である。
【図３】図１のIII−III線矢視図である。
【図４】図１のIV−IV線断面矢視図である。
【図５】第２の実施形態に係る水中撹拌装置の概略説明図である。
【図６】図５のVI−VI線矢視図である。
【図７】図５のVII−VII線断面矢視図である。
【図８】同装置における操作説明図である。
【符号の説明】
【００４５】
１  水中撹拌装置
２  処理槽
３  フロア
５  縦支持杆
６  ドラフトチューブ
９  昇降ガイド
１０  水中ミキサ
１３  吊り下げチェーン
１５  スライドガイド
１６  吊り下げチェーン
１７  ストッパ
【図１】
2006239605.tif 000003
【図２】
2006239605.tif 000004
【図３】
2006239605.tif 000005
【図４】
2006239605.tif 000006
【図５】
2006239605.tif 000007
【図６】
2006239605.tif 000008
【図７】
2006239605.tif 000009
【図８】
2006239605.tif 000010